(57)【要約】【課題】バッグを安定して確実に固定でき、バッグの把手部に負担を掛けないバッグハンガーを提供する。【解決手段】バッグハンガー１は、連結部材１０と、該連結部材１０の一端側に該連結部材１０に対して垂直に立設した、台板上に載置するための支持部材２０と、前記支持部材２０と対向し、該連結部材１０の他端側に該連結部材１０に対して垂直に立設した、バッグを吊るすためのフック部材３０とからなる。前記連結部材１０、前記支持部材２０、及び、前記フック部材３０は、棒状の金属芯を弾性変形可能な軟質材で被覆して形成されている。前記フック部材３０の先端に、係止部３１が形成されている。前記支持部材２０及び前記フック部材３０は、前記連結部材１０に対してヒンジ部材４０により、回動可能に接続されている。前記軟質材が、熱可塑性エラストマーであることが好ましい。【選択図】図１
0003166666.tif 000002
【実用新案登録請求の範囲】
【請求項１】
連結部材と、
前記連結部材に接続し、該連結部材の一端側に該連結部材に対して垂直に立設した、台板上に載置するための支持部材と、
前記支持部材と対向し、前記連結部材に接続し、該連結部材の他端側に該連結部材に対して垂直に立設した、バッグを吊るすためのフック部材と、
からなるバッグハンガーであって、
前記連結部材、前記支持部材、及び、前記フック部材は、棒状の金属芯を弾性変形可能な軟質材で被覆して形成されたものであることを特徴とするバッグハンガー。
【請求項２】
前記フック部材の先端には、前記バッグの脱落を防ぐための係止部が形成されている請求項１に記載のバッグハンガー。
【請求項３】
前記支持部材及び前記フック部材は、前記連結部材に対してヒンジ部材により、回動可能に接続され、折りたたみ可能とした請求項１又は２に記載のバッグハンガー。
【請求項４】
前記連結部材が意匠性を有する請求項１乃至３のうちのいずれか１項に記載のバッグハンガー。
【請求項５】
前記軟質材は、熱可塑性エラストマーである請求項１乃至４のうちのいずれか１項に記載のバッグハンガー。
【考案の詳細な説明】
【技術分野】
【０００１】
本考案はバッグハンガーに関し、更に詳しくは、テーブルや机等の台板に引っ掛けて、バックを吊り下げ保持するのに用いられるバッグハンガーに関する。
【背景技術】
【０００２】
レストラン、会議室などにおいて、バッグの置き場所に困ることに鑑みて、バッグをテーブルに吊るすことによって保持可能とするバッグハンガーが考案されている（例えば特許文献１参照。）。
このバッグハンガーは、バッグの把手部分をフック部に引っ掛けることによってバッグを吊るし、支持部をテーブルなどの台板の面に載置して固定するものである。
このバッグハンガーは、フック部が連結部を基点として自由に回転できるため、フック部の向きを自由に変更でき、フック部の前に障害物や、机やテーブルの側板が位置してそのフック部にバッグなどを引っ掛けることがなくなるという利点がある。
【先行技術文献】
【特許文献】
【０００３】
【特許文献１】登録実用新案３０３２８３３号公報
【考案の概要】
【考案が解決しようとする課題】
【０００４】
しかし、特許文献１に記載のバッグハンガーは、フック部が回転可能であるため、バッグを掛けても、バッグが回転し、安定し難いという問題がある。また、フック部が線材からなるため、バックの把手部の線材との接触面積が小さく、把手部の一部に過度の荷重が集中するおそれがある。
【０００５】
本考案は、前記の問題を解決するものであり、バッグを安定して確実に固定でき、把手部に負担を掛けないバッグハンガーを提供することを目的とする。
【課題を解決するための手段】
【０００６】
本考案は以下の通りである。
１．連結部材と、
前記連結部材に接続し、該連結部材の一端側に該連結部材に対して垂直に立設した、台板上に載置するための支持部材と、
前記支持部材と対向し、前記連結部材に接続し、該連結部材の他端側に該連結部材に対して垂直に立設した、バッグを吊るすためのフック部材と、
からなるバッグハンガーであって、
前記連結部材、前記支持部材、及び、前記フック部材は、棒状の金属芯を弾性変形可能な軟質材で被覆して形成されたものであることを特徴とするバッグハンガー。
２．前記フック部材の先端には、前記バッグの脱落を防ぐための係止部が形成されている１．に記載のバッグハンガー。
３．前記支持部材及び前記フック部材は、前記連結部材に対してヒンジ部材により、回動可能に接続され、折りたたみ可能とした１．又は２．に記載のバッグハンガー。
４．前記連結部材が意匠性を有する１．乃至３．のうちのいずれか１項に記載のバッグハンガー。
５．前記軟質材は、熱可塑性エラストマーである１．乃至４．のうちのいずれか１項に記載のバッグハンガー。
【考案の効果】
【０００７】
１．本考案は、連結部材と、前記連結部材に接続し、該連結部材の一端側に該連結部材に対して垂直に立設した、台板上に載置するための支持部材と、前記支持部材と対向し、前記連結部材に接続し、該連結部材の他端側に該連結部材に対して垂直に立設した、バッグを吊るすためのフック部材と、からなるバッグハンガーであって、前記連結部材、前記支持部材、及び、前記フック部材は、棒状の金属芯を弾性変形可能な軟質材で被覆して形成されたものであることを特徴とするため、バッグを安定して確実に固定でき、バッグの把手部に負担を掛けないという効果がある。
２．前記フック部材の先端に、前記バッグの脱落を防ぐための係止部が形成されている場合には、フック部材が傾いでも、バッグがフック部材から滑り落ちるのを防ぐことができる。
３．前記支持部材及び前記フック部材は、前記連結部材に対してヒンジ部材により、回動可能に接続され、折りたたみ可能である場合には、収納が容易となり、持ち運びに便利である。
４．前記連結部材が意匠性を有する場合には、バッグハンガーとは気づきにくい意外性があり、看る者を楽しませることができる。
５．前記軟質材が、熱可塑性エラストマーである場合には、射出成形によって迅速に成形加工を行なえる利点があり、好適に利用できる。
【図面の簡単な説明】
【０００８】
【図１】本考案のバッグハンガーの実施形態の一例を示す斜視図である。
【図２】（ａ）は、図１における平面図であり、（ｂ）は、図１における折りたたんだ状態を示す平面図である。
【図３】（ａ）は、図２（ａ）において被覆部を省略した平面図であり、（ｂ）は、図２（ｂ）において被覆部を省略した平面図である。
【図４】図１に係る正面図である。
【図５】本考案のバッグハンガーの使用状態の一例を示す斜視図である。
【考案を実施するための形態】
【０００９】
以下図１〜５を参照しながら本発明を詳しく説明する。尚、本発明は、かかる図に記載された具体例に示すものに限られず、目的、用途に応じて種々変更したものとすることができる。
本考案に係るバッグハンガーは、連結部材と、前記連結部材に接続し、該連結部材の一端側に該連結部材に対して垂直に立設した、台板上に載置するための支持部材と、前記支持部材と対向し、前記連結部材に接続し、該連結部材の他端側に該連結部材に対して垂直に立設した、バッグを吊るすためのフック部材と、からなるバッグハンガーであって、前記連結部材、前記支持部材、及び、前記フック部材は、棒状の金属芯を弾性変形可能な軟質材で被覆して形成されたものであることを特徴とする。
【００１０】
例えば、図１に示すように本考案を具体化したバッグハンガー１は、連結部材１０と、前記連結部材１０に接続し、該連結部材１０の一端側に該連結部材１０に対して垂直に立設した、台板上に載置するための支持部材２０と、前記支持部材２０と対向し、該連結部材１０に接続し、該連結部材１０の他端側に該連結部材１０に対して垂直に立設した、バッグを吊るすためのフック部材３０と、からなるバッグハンガーであって、前記連結部材１０、前記支持部材２０、及び、前記フック部材３０は、棒状の金属芯を弾性変形可能な軟質材で被覆して形成されたものである。
【００１１】
［１］連結部材
前記「連結部材」は、支持部材と連結部材とを接続する役割を果たす。支持部材と連結部材とを接続することができれば、「接続」の形態には特に限定はない。連結部材は、支持部材と連結部材と一体に形成されていてもよいが、例えば図１に示す連結部材１０のように、ヒンジ部材４０により、支持部材２０及びフック部材３０が、回動可能に接続されていることが好ましい。こうすることで図２（ｂ）に示すように折りたたむことができ、支持部材２０とフック部材３０で遊挿部６０を形成し、例えばバッグのポケットの端縁部に挿着して携帯することができる。
なお、ヒンジ部材は、回動可能であれば特に限定はなく図２（ａ）、（ｂ）に示すように、丁番４０にピン４０ａを挿入して上下をかしめ、回動自在に固定する構造とすることができる。
【００１２】
連結部材は、棒状の金属芯を弾性変形可能な軟質材で被覆して形成されたものである。例えば図２（ａ）に示すように、連結部材１０は棒状の金属芯１５を軟質材で被覆して形成されている。「棒状」は通常、直線的な棒状を意味するが、多少曲線的であってもよい。あるいは部分的に曲線的であってもよい。
金属芯を構成する金属は、特に限定はされず、鉄、真鍮、ステンレス、アルミニウム、銅、合金等を用いることができる。
前記「被覆」は、連結部材全てを覆っている必要はなく、一部露出している場合も含まれる。
例えば、図２（ｂ）に示すように、支持部材２０の突出部２２、フック部材３０の突出部３２は露出した金属芯であり、連結部材１０の係止部１０ａ及び係止部１０ｂは、金属芯が露出していることにより、図２（ａ）に示す使用状態において、突出部２２、突出部３２がそれぞれ係止部１０ｂ、１０ａに対して金属同士で押圧して係止する。金属同士で接触することにより、より確実に係止することができる。
【００１３】
前記「軟質材」は弾性変形可能な材質であれば特に限定はないが、例えば、熱可塑性エラストマーを用いることができる。
軟質材で被覆することにより、安全性を担保することができる他、金属芯をインサートして射出成形をすることにより、図１に示すように、例えばメガネの形状を形成して意匠性を備えることができる。折りたたんだ状態からは、バッグハンガーであることが想定できない意外性があり、看る者を楽しませてくれる。
特にこの軟質材が熱可塑性エラストマーである場合には、射出成形によって迅速に成形加工を行なえる利点があり、好適に利用できる。
【００１４】
［２］支持部材
前記「支持部材」は、前記連結部材に接続し、該連結部材の一端側に該連結部材に対して垂直に立設した、台板上に載置する部材である。
例えば図１に示す支持部材２０は、連結部材１０に接続し、連結部材１０の一端側に連結部材１０に対して垂直に立設した、台板上に載置する部材である。
台板は、レストランにおけるテーブル、会議室における机の天板であり、図６に示すように、台板７０の上面に支持部材２０を載置して使用する。
支持部材も、連結部材と同様、棒状の金属芯を弾性変形可能な軟質材で被覆して形成されたものである。支持部材が軟質材で被覆されることにより、台板に対して摩擦力を大きく保持でき、支持部材を確実に台板に固定することができる。
例えば図２（ａ）に示すように、支持部材２０は、棒状の金属芯２５を弾性変形可能な軟質材で被覆して形成されている。
ここで、「接続」、「棒状」、「被覆」、「軟質材」については、前記連結部材と同様であるためその説明を省略する。
【００１５】
［３］フック部材
前記「フック部材」は、前記支持部材と対向し、前記連結部材に接続し、該連結部材の他端側に該連結部材に対して垂直に立設した、バッグを吊るすための部材である。
例えば図１に示すフック部材３０は、支持部材２０と対向し、連結部材１０に接続し、連結部材１０の他端側に連結部材１０に対して垂直に立設している。
例えば図５に示すように、バッグ５０を吊るす際には、バッグ５０の把手部５１をフック部材３０に引っ掛ける。フック部材３０の先端にはバッグが滑落するのを防ぐための係止部３１が形成されていることが好ましい。
フック部材も、連結部材と同様、棒状の金属芯を弾性変形可能な軟質材で被覆して形成されたものである。フック部材が弾性変形可能な軟質材で被覆されることにより、バッグの把手部に対して摩擦力を大きく保持でき、バッグを確実にフック部材に固定することができる。
ここで、「接続」、「棒状」、「被覆」、「軟質材」については、前記連結部材と同様であるためその説明を省略する。
【符号の説明】
【００１６】
１；バッグハンガー、１０；連結部材、２０；支持部材、３０；フック部材、１５、２５、３５；金属芯、３１；係止部、４０；ヒンジ部材、５０；バッグ、７０；台板
【図１】
0003166666.tif 000003
【図２】
0003166666.tif 000004
【図３】
0003166666.tif 000005
【図４】
0003166666.tif 000006
【図５】
0003166666.tif 000007
【手続補正書】
【提出日】平成22年12月28日(2010.12.28)
【手続補正１】
【補正対象書類名】実用新案登録請求の範囲
【補正対象項目名】全文
【補正方法】変更
【補正の内容】
【実用新案登録請求の範囲】
【請求項１】
連結部材と、
前記連結部材に接続し、該連結部材の一端側に該連結部材に対して垂直に立設した、台板上に載置するための支持部材と、
前記支持部材と対向し、前記連結部材に接続し、該連結部材の他端側に該連結部材に対して垂直に立設した、バッグを吊るすためのフック部材と、
からなるバッグハンガーであって、
前記連結部材、前記支持部材、及び、前記フック部材は、棒状の金属芯を弾性変形可能な軟質材で被覆して形成されたものであることを特徴とするバッグハンガー。
【請求項２】
前記フック部材の先端には、前記バッグの脱落を防ぐための係止部が形成されている請求項１に記載のバッグハンガー。
【請求項３】
前記支持部材及び前記フック部材は、前記連結部材に対してヒンジ部材により、回動可能に接続され、折りたたみ可能とした請求項１又は２に記載のバッグハンガー。
【請求項４】
前記軟質材は、熱可塑性エラストマーである請求項１乃至３のうちのいずれか１項に記載のバッグハンガー。
【手続補正２】
【補正対象書類名】明細書
【補正対象項目名】全文
【補正方法】変更
【補正の内容】
【考案の詳細な説明】
【技術分野】
【０００１】
本考案はバッグハンガーに関し、更に詳しくは、テーブルや机等の台板に引っ掛けて、バックを吊り下げ保持するのに用いられるバッグハンガーに関する。
【背景技術】
【０００２】
レストラン、会議室などにおいて、バッグの置き場所に困ることに鑑みて、バッグをテーブルに吊るすことによって保持可能とするバッグハンガーが考案されている（例えば特許文献１参照。）。
このバッグハンガーは、バッグの把手部分をフック部に引っ掛けることによってバッグを吊るし、支持部をテーブルなどの台板の面に載置して固定するものである。
このバッグハンガーは、フック部が連結部を基点として自由に回転できるため、フック部の向きを自由に変更でき、フック部の前に障害物や、机やテーブルの側板が位置してそのフック部にバッグなどを引っ掛けることがなくなるという利点がある。
【先行技術文献】
【特許文献】
【０００３】
【特許文献１】登録実用新案３０３２８３３号公報
【考案の概要】
【考案が解決しようとする課題】
【０００４】
しかし、特許文献１に記載のバッグハンガーは、フック部が回転可能であるため、バッグを掛けても、バッグが回転し、安定し難いという問題がある。また、フック部が線材からなるため、バックの把手部の線材との接触面積が小さく、把手部の一部に過度の荷重が集中するおそれがある。
【０００５】
本考案は、前記の問題を解決するものであり、バッグを安定して確実に固定でき、把手部に負担を掛けないバッグハンガーを提供することを目的とする。
【課題を解決するための手段】
【０００６】
本考案は以下の通りである。
１．連結部材と、
前記連結部材に接続し、該連結部材の一端側に該連結部材に対して垂直に立設した、台板上に載置するための支持部材と、
前記支持部材と対向し、前記連結部材に接続し、該連結部材の他端側に該連結部材に対して垂直に立設した、バッグを吊るすためのフック部材と、
からなるバッグハンガーであって、
前記連結部材、前記支持部材、及び、前記フック部材は、棒状の金属芯を弾性変形可能な軟質材で被覆して形成されたものであることを特徴とするバッグハンガー。
２．前記フック部材の先端には、前記バッグの脱落を防ぐための係止部が形成されている１．に記載のバッグハンガー。
３．前記支持部材及び前記フック部材は、前記連結部材に対してヒンジ部材により、回動可能に接続され、折りたたみ可能とした１．又は２．に記載のバッグハンガー。
４．前記軟質材は、熱可塑性エラストマーである１．乃至３．のうちのいずれか１項に記載のバッグハンガー。
【考案の効果】
【０００７】
１．本考案は、連結部材と、前記連結部材に接続し、該連結部材の一端側に該連結部材に対して垂直に立設した、台板上に載置するための支持部材と、前記支持部材と対向し、前記連結部材に接続し、該連結部材の他端側に該連結部材に対して垂直に立設した、バッグを吊るすためのフック部材と、からなるバッグハンガーであって、前記連結部材、前記支持部材、及び、前記フック部材は、棒状の金属芯を弾性変形可能な軟質材で被覆して形成されたものであることを特徴とするため、バッグを安定して確実に固定でき、バッグの把手部に負担を掛けないという効果がある。
２．前記フック部材の先端に、前記バッグの脱落を防ぐための係止部が形成されている場合には、フック部材が傾いでも、バッグがフック部材から滑り落ちるのを防ぐことができる。
３．前記支持部材及び前記フック部材は、前記連結部材に対してヒンジ部材により、回動可能に接続され、折りたたみ可能である場合には、収納が容易となり、持ち運びに便利である。
４．前記軟質材が、熱可塑性エラストマーである場合には、射出成形によって迅速に成形加工を行なえる利点があり、好適に利用できる。
【図面の簡単な説明】
【０００８】
【図１】本考案のバッグハンガーの実施形態の一例を示す斜視図である。
【図２】（ａ）は、図１における平面図であり、（ｂ）は、図１における折りたたんだ状態を示す平面図である。
【図３】（ａ）は、図２（ａ）において被覆部を省略した平面図であり、（ｂ）は、図２（ｂ）において被覆部を省略した平面図である。
【図４】図１に係る正面図である。
【図５】本考案のバッグハンガーの使用状態の一例を示す斜視図である。
【考案を実施するための形態】
【０００９】
以下図１〜５を参照しながら本発明を詳しく説明する。尚、本発明は、かかる図に記載された具体例に示すものに限られず、目的、用途に応じて種々変更したものとすることができる。
本考案に係るバッグハンガーは、連結部材と、前記連結部材に接続し、該連結部材の一端側に該連結部材に対して垂直に立設した、台板上に載置するための支持部材と、前記支持部材と対向し、前記連結部材に接続し、該連結部材の他端側に該連結部材に対して垂直に立設した、バッグを吊るすためのフック部材と、からなるバッグハンガーであって、前記連結部材、前記支持部材、及び、前記フック部材は、棒状の金属芯を弾性変形可能な軟質材で被覆して形成されたものであることを特徴とする。
【００１０】
例えば、図１に示すように本考案を具体化したバッグハンガー１は、連結部材１０と、前記連結部材１０に接続し、該連結部材１０の一端側に該連結部材１０に対して垂直に立設した、台板上に載置するための支持部材２０と、前記支持部材２０と対向し、該連結部材１０に接続し、該連結部材１０の他端側に該連結部材１０に対して垂直に立設した、バッグを吊るすためのフック部材３０と、からなるバッグハンガーであって、前記連結部材１０、前記支持部材２０、及び、前記フック部材３０は、棒状の金属芯を弾性変形可能な軟質材で被覆して形成されたものである。
【００１１】
［１］連結部材
前記「連結部材」は、支持部材と連結部材とを接続する役割を果たす。支持部材と連結部材とを接続することができれば、「接続」の形態には特に限定はない。連結部材は、支持部材と連結部材と一体に形成されていてもよいが、例えば図１に示す連結部材１０のように、ヒンジ部材４０により、支持部材２０及びフック部材３０が、回動可能に接続されていることが好ましい。こうすることで図２（ｂ）に示すように折りたたむことができ、支持部材２０とフック部材３０で遊挿部６０を形成し、例えばバッグのポケットの端縁部に挿着して携帯することができる。
なお、ヒンジ部材は、回動可能であれば特に限定はなく図２（ａ）、（ｂ）に示すように、丁番４０にピン４０ａを挿入して上下をかしめ、回動自在に固定する構造とすることができる。
【００１２】
連結部材は、棒状の金属芯を弾性変形可能な軟質材で被覆して形成されたものである。例えば図２（ａ）に示すように、連結部材１０は棒状の金属芯１５を軟質材で被覆して形成されている。「棒状」は通常、直線的な棒状を意味するが、多少曲線的であってもよい。あるいは部分的に曲線的であってもよい。
金属芯を構成する金属は、特に限定はされず、鉄、真鍮、ステンレス、アルミニウム、銅、合金等を用いることができる。
前記「被覆」は、連結部材全てを覆っている必要はなく、一部露出している場合も含まれる。
例えば、図２（ｂ）に示すように、支持部材２０の突出部２２、フック部材３０の突出部３２は露出した金属芯であり、連結部材１０の係止部１０ａ及び係止部１０ｂは、金属芯が露出していることにより、図２（ａ）に示す使用状態において、突出部２２、突出部３２がそれぞれ係止部１０ｂ、１０ａに対して金属同士で押圧して係止する。金属同士で接触することにより、より確実に係止することができる。
【００１３】
前記「軟質材」は弾性変形可能な材質であれば特に限定はないが、例えば、熱可塑性エラストマーを用いることができる。
軟質材で被覆することにより、安全性を担保することができる他、金属芯をインサートして射出成形をすることにより、図１に示すように、例えばメガネの形状を形成して意匠性を備えることができる。折りたたんだ状態からは、バッグハンガーであることが想定できない意外性があり、看る者を楽しませてくれる。
特にこの軟質材が熱可塑性エラストマーである場合には、射出成形によって迅速に成形加工を行なえる利点があり、好適に利用できる。
【００１４】
［２］支持部材
前記「支持部材」は、前記連結部材に接続し、該連結部材の一端側に該連結部材に対して垂直に立設した、台板上に載置する部材である。
例えば図１に示す支持部材２０は、連結部材１０に接続し、連結部材１０の一端側に連結部材１０に対して垂直に立設した、台板上に載置する部材である。
台板は、レストランにおけるテーブル、会議室における机の天板であり、図６に示すように、台板７０の上面に支持部材２０を載置して使用する。
支持部材も、連結部材と同様、棒状の金属芯を弾性変形可能な軟質材で被覆して形成されたものである。支持部材が軟質材で被覆されることにより、台板に対して摩擦力を大きく保持でき、支持部材を確実に台板に固定することができる。
例えば図２（ａ）に示すように、支持部材２０は、棒状の金属芯２５を弾性変形可能な軟質材で被覆して形成されている。
ここで、「接続」、「棒状」、「被覆」、「軟質材」については、前記連結部材と同様であるためその説明を省略する。
【００１５】
［３］フック部材
前記「フック部材」は、前記支持部材と対向し、前記連結部材に接続し、該連結部材の他端側に該連結部材に対して垂直に立設した、バッグを吊るすための部材である。
例えば図１に示すフック部材３０は、支持部材２０と対向し、連結部材１０に接続し、連結部材１０の他端側に連結部材１０に対して垂直に立設している。
例えば図５に示すように、バッグ５０を吊るす際には、バッグ５０の把手部５１をフック部材３０に引っ掛ける。フック部材３０の先端にはバッグが滑落するのを防ぐための係止部３１が形成されていることが好ましい。
フック部材も、連結部材と同様、棒状の金属芯を弾性変形可能な軟質材で被覆して形成されたものである。フック部材が弾性変形可能な軟質材で被覆されることにより、バッグの把手部に対して摩擦力を大きく保持でき、バッグを確実にフック部材に固定することができる。
ここで、「接続」、「棒状」、「被覆」、「軟質材」については、前記連結部材と同様であるためその説明を省略する。
【符号の説明】
【００１６】
１；バッグハンガー、１０；連結部材、２０；支持部材、３０；フック部材、１５、２５、３５；金属芯、３１；係止部、４０；ヒンジ部材、５０；バッグ、７０；台板